(57)【特許請求の範囲】
【請求項１】
ゴルファーが実際に使用するゴルフパターに取り付ける着脱可能な練習器であって、前記練習器は、シャフトにバネ材を使用し、両端に重りを配置したヤジロベイのような構造であり、ゴルフパターでゴルフボールを目標に向かって打った時に前記目印がゴルファーのスィングに応じた回転運動することを特徴とするゴルフパター練習器。
【発明の詳細な説明】
【技術分野】
【０００１】
本考案は、ゴルフ用パターの練習器に関するものである。
【背景技術】
【０００２】
ゴルフにおけるパッティングは、一番多く行なうプレイであり、スコアーに影響する重要なプレイである。しかしながら、パッティングは、他のプレイと異なりボールを打つ事のみは容易に出来るため、練習する機会が少なく、実際コースプレイで大失敗をしてしまう場合が多々ある。
【０００３】
また、パッティングは、個々のゴルファーにより異なり、それぞれのやり方、好みがある。ゴルファーのやり方、好みを満足させる為、ゴルフ用パターには、様々な形状のものがある。ツーボールタイプとか四角形とか三角形の角を丸くした形状のもの、従来のピンタイプなどである。しかし、様々な形状のゴルフ用パターを適切に使用するための練習器は、良いものが考案されていない。
【０００４】
ゴルフに於けるパッティングの練習器で、一般的なものは、練習用のマットである。単にマット上にホールを設けそのホールにパターを使用してゴルフボールを入れる練習器である。言葉を変えれば、どうすればゴルフボールがホールに入いるかを体得する練習器である。
【０００５】
特開平１１−１４３６９２５、実用新案登録第３１２３７１６号などのようにパターのスィングを矯正する練習器もある。
【０００６】
しかし、上記のような練習機器は、実際のゴルファーにとって労多くして効果が少ない。なぜなら、今までの練習機器は、正しいアドレス、安定したスィング、距離を合わせるという３つの項目を網羅していないためである。
【０００７】
ゴルフにおけるパッティングは、人によって様々なスタイルがある。パッティングは、その人のスタイルで安定していれば良い。スタイルを安定させるための練習器とは、プレイヤーにアドレス、スウィング、打ち出した力の大きさ（距離）を理解させるものであると考える。
【０００８】
また、プレイヤーの技量レベルによっても、パッティング練習器に対する要望は、異なってくる。練習器に対する要望は、いろいろあるが、例えば初心者は、ゴルフボールを真直ぐ打つ事であり、中級者では、距離感を向上さる事であり、上級者ではグリーンの状態に合わせた打ち方である。以上のように個々のプレイヤーの要望に対しての実用的な練習を行なう練習器が待ち望まれている。
【先行技術文献】
【特許文献】
【０００９】
【特許文献１】特開平１１−１４３６９３５号
【特許文献２】実用新案登録第3123716号
【非特許文献】
【００１０】
【非特許文献１】財団法人  日本ゴルフ協会、用具の規則
【発明の概要】
【発明が解決しようとする課題】
【００１１】
現状のゴルフのパッティング練習器は、単にスウィングを一定の方向にするための練習器が多く、個々の技能レベルに適応した練習器ではない。プレイヤーがどの様なアドレスをしているか、どの様な軌道スウィングをしたか、どんな力で打ち出したかをプレイヤーに見せて理解させる練習器がないという課題である。
【課題を解決するための手段】
【００１２】
本発明は、ゴルフにおけるパッティング時に、ゴルファーが実際に使用するパターに本発明の着脱可能なゴルフパター練習器を取り付け、練習器には、動く目印が付いていて、ゴルフパターでゴルフボールを目標に向かって打った時に前記目印が回転運動をすることで、ゴルファーが、どの様なアドレス、スウィング、距離合わせをするか推測出来る事で、パッティング技能が向上する事を主要な特徴とする。
【発明の効果】
【００１３】
本発明のゴルフ用パター練習器は、現在ゴルファーが使用しているパターに取り付けて、練習できて、尚且つ各ゴルファーのパッティングの動きが目印で大きく見えるように工夫された練習器であるため、ゴルファーが、パッティングを目印の動きで、アドレス、スウィング、距離合わせを修正するので、効果が大きいという利点がある。
【図面の簡単な説明】
【００１４】
【図１】本発明のゴルフ用パター練習器で、練習器の目印が回転するタイプのものである。
【図２】本発明のゴルフ用パター練習器で、練習器の目印がパターを振る方向と同じ方向に移動するタイプの練習器である。
【図３】本発明のゴルフ用パター練習器が、ゴルフ用パターのヘッドに取り付いた断面図である。
【図４】本発明のゴルフ用パター練習器が、ゴルフ用パターのシャフトに取り付いた断面図である。
【発明を実施するための形態】
【００１５】
ゴルフ用パター練習は、実際に使用しているゴルフパターに取り付けられる。ゴルフ用パター練習器には、ゴルフ用パターの動きを大きく見せる目印が付いている。ゴルフ用練習器を取り付けたゴルフパターで実際のゴルフボールを目標に向かって打つ。ゴルフボールがどこに到達したか、その時ゴルフ用パター練習器の目印どう動いたかをゴルファーが理解する事で、ゴルファーは、アドレス、スウィング、打ち出す強さを調整でき、その結果としてゴルファーのパッティング技能向上を実現した。
【００１６】
アドレスをする時パターのフェイス面は、ボールを打ち出す方向と垂直な方向にする。しかし、実際のボールをパッティングするとボールはイメージと異なった経路を進む場合がある。この原因は、ゴルファーの目の錯覚及びスウィングに起因している場合、またはパターの固有の特性、例えば重心がフェイス中心から若干ずれている等が考えられる。
【００１７】
そこで図１の本発明の練習器を取り付けてパッティングを行なう。ボールが目標の左にずれた場合は、練習器の目印をフェイス面に対して若干左回りセットしてアドレスして、左回りにセットした目印のラインでアドレスを行いパッティングするとボールはイメージどおりの経路を進むことが出来る。即ち本発明のゴルフパター練習器は、ゴルファー個性とパター個性の最適条件を見つけ出すのに有効な練習器である。
【００１８】
また、練習器を取り付けて実際のボールをパッティングするとフック気味に打ち出す癖があるゴルファーの場合は、図１の目印が時計と反対回りに回転するのでゴルファーの癖がわかる。本発明のゴルフパター練習器はゴルファーのスウィング癖を見つけ出すのに有効な練習器でもある。
【００１９】
パッティングの距離感をあわせるには、ゴルファーが打ち出した力の大きさを知り、力をコントロールする必要がある。図1及び図３の練習器の目印は、打ち出した力の大きさを回転運動で示すので、パッティングの打ち出す力の大きさを調整出来、距離をあわせる事が出来る。本発明のゴルフパター練習器はパッティングの打ち出す力をコントロールするのに有効な練習器である。
【実施例】
【００２０】
図１は、目印が回転する例である。この目印は、シャフトにバネ材を使用し、両端に重りを配置したヤジロベイのような構造である。両端に配置された重りが目印になるので、重りには目印にふさわしい色、赤色が塗られてある。
この練習器を取り付けたパターで実際のボールを打つと、引っ掛け気味に打つと両端の重りが時計と反対回りに回転する。また、押出気味に打ち出した場合は両端の重りが時計回りに回転する。
両端の重りに重力が均一に掛かるようなパッティングの場合、両端の重りは、双方に回転する。
両端の目印挙動と実際のボール転がりで距離合わせも練習できる。
【００２１】
図３は、ゴルフパター練習器をパターのシャフト部に取り付けた図である。練習器の中心をパターヘッドの中心上部へセットして使用した。実施例と同等の結果が得られた。
【産業上の利用可能性】
【００２２】
本発明は、ゴルフ用パターの練習器に関するものである。
【符号の説明】
【００２３】
１  ゴルフパターのヘッド    
２  ゴルフパターのシャフト部
３  練習器
４  ゴルフパターのフェイス面
５  練習器の目印
【図１】
0005547675.tif 000002
【図２】
0005547675.tif 000003
【図３】
0005547675.tif 000004
【図４】
0005547675.tif 000005